(57)【要約】【課題】  閉じた時の太さが異なる傘であってもスムーズに収納することができるとともに、傘のふらつき及び脱落をなくすることができる傘用収納具を提供する。【解決手段】  手押し車に取着する取着体１と該取着体１に支持され、傘を収納する収納具本体３とを備えた構成において、前記収納具本体３を、円錐台形部３１及び該円錐台形部３１の小径側に連なる円筒部３２を有する筒形とし、円筒部３２の端から長手方向の途中又は大径側端にかけてスリット３３，３４を設け、収納する傘によって円筒部３２を拡径する方向へ撓ませることにより張り布が閉じられた傘をスムーズに収納することができ、しかも傘のふらつき及び脱落をなくするようにした。【選択図】      図１
2005137764.tif 000002
【特許請求の範囲】
【請求項１】
取着体、及び該取着体に支持され、傘を収納する収納具本体を有する傘用収納具において、前記収納具本体は円錐台形部を有する筒形であり、小径側端から長手方向の途中又は大径側端にかけてスリットを有することを特徴とする傘用収納具。
【請求項２】
前記収納具本体は複数の周方向位置に前記スリットを有する請求項１記載の傘用収納具。
【請求項３】
前記小径側端の複数の周方向位置から長手方向の途中にかけて設けられたスリットは長さを異にしてある請求項２記載の傘用収納具。
【請求項４】
前記収納具本体は小径側端の内側に凸部を有する請求項２又は３記載の傘用収納具。
【請求項５】
前記収納具本体は前記円錐台形部の小径側に連なる円筒部を有する請求項１乃至４記載の傘用収納具。
【発明の詳細な説明】
【技術分野】
【０００１】
本発明は既に所有する一般の傘を手押し車等に収納するための傘用収納具に関する。
【背景技術】
【０００２】
雨傘、日傘等の傘は、上端に張り布が固定され、下端に略Ｊ字形又は略Ｉ字形のハンドルを有する軸柄の途中に前記張り布を開閉操作する操作環が摺動可能に挿嵌されており、また、張り布の先端部に紐バンドが設けられており、張り布を閉じた状態で前記紐バンドを巻回して係止することにより傘の閉じた状態を維持することができるように構成されている。
【０００３】
このように構成された傘を幼児用及び老人用の手押し車に取着するための傘用取着具が知られている（例えば、特許文献１）。
この傘用取着具は前記手押し車のパイプからなるフレームを掴持する第１掴持部と、前記傘のハンドルを掴持する第２掴持部とを備えており、第１掴持部がフレームに取着された状態で第２掴持部を操作することにより、傘のハンドルを第２掴持部に掴持することができるようになっている。従って、張り布を開いて使用する場合でも、また、張り布を閉じて収納する場合でも、第２掴持部を操作することにより、傘を手押し車に取着することができる。
【０００４】
また、自転車用傘収納具として、自転車のハンドルに取着されるリング部材と、前ホークの途中に取着される円筒部材と、前車軸の近傍に取着される受け皿とを備えたものが知られている。この自転車用傘収納具に傘を収納した場合、傘のハンドル部分がリング部材に挿入され、傘の張り布の途中が円筒部材に挿入され、傘の軸柄の上端が受け皿に当接することになる。
【特許文献１】特開２００３−２４５１８４号公報
【発明の開示】
【発明が解決しようとする課題】
【０００５】
しかしながら、以上のように構成された従来の傘用取着具は傘のハンドルを掴持するように構成されているため、閉じた傘を収納する場合、閉じられた張り布に紐バンドを巻回して係止する必要があり、さらに第２掴持部を操作して傘のハンドルを掴持する必要があり、これらの操作が煩わしかった。
【０００６】
また、自転車用傘収納具は、閉じた時の太さが異なる傘であっても収納することができるようにリング部材及び円筒部材が比較的大きく形成されているため、傘がふらついたり、自転車の振動等によって脱落したりすることがあった。
【０００７】
本発明は斯かる事情に鑑みてなされたものであり、収納具本体を、円錐台形部を有する筒形とし、小径側端から長手方向の途中又は大径側端にかけてスリットを設けたことにより、閉じた時の太さが異なる傘であっても傘のふらつき及び脱落をなくすることができる傘用収納具を提供することを目的とする。
【０００８】
また、スリットを複数の周方向位置に設けたことにより、収納具本体に挿入された傘を複数の周方向位置で締付けることができる傘用収納具を提供することを目的とする。
【０００９】
また、小径側端の複数の周方向位置から長手方向の途中にかけて設けられたスリットを異なる長さとしたことにより、傘の収納具本体への挿入性を確保しつつ小径側での締付力を増加することができる傘用収納具を提供することを目的とする。
【００１０】
また、収納具本体の小径側端の内側に凸部を設けたことにより、収納具本体の小径側の弾性復元力をさらに増加することができる傘用収納具を提供することを目的とする。
【００１１】
また、円錐台形部の小径側に連なる円筒部を設けたことにより、手押し車等の移動する製品に取着された場合においても状有能された傘の安定性を高めることができ、傘のふらつき及び脱落をなくすることができる傘用収納具を提供することを目的とする。
【課題を解決するための手段】
【００１２】
第１発明に係る傘用収納具は、取着体、及び該取着体に支持され、傘を収納する収納具本体を有する傘用収納具において、前記収納具本体は円錐台形部を有する筒形であり、小径側端から長手方向の途中又は大径側端にかけてスリットを有することを特徴とする。
【００１３】
第１発明にあっては、傘の紐バンドを操作することなく張り布が閉じられた状態で筒形の収納具本体にスムーズに収納することができ、しかも、筒形の収納具本体をスリットにより拡径させるように撓ませることができるため、この収納具本体の弾性復元力により張り布を締め付けることができ、傘のふらつき及び脱落をなくすることができる。
【００１４】
第２発明に係る傘用収納具は、第１発明において、前記収納具本体は複数の周方向位置に前記スリットを有することを特徴とする。
【００１５】
第２発明にあっては、筒形の収納具本体を複数の周方向位置で撓ませることができ、収納具本体に収納された傘を複数の周方向位置で締め付けることができるため、閉じた時の太さが異なる傘であっても収納状態を維持することができる。
【００１６】
第３発明に係る傘用収納具は、第２発明において、前記小径側端の複数の周方向位置から長手方向の途中にかけて設けられたスリットは長さを異にしてあることを特徴とする。
【００１７】
第３発明にあっては、長さが長いスリットにより収納具本体の小径側の撓み量を多くすることができ、さらに長さが短いスリットにより小径側の撓み量を少なくすることができるため、小径側への挿入性を確保しつつ小径側での締め付け力を増加することができ、閉じた時の太さが異なる傘であってもスムーズに収納することができるとともに、この収納状態を維持することができる。
【００１８】
第４発明に係る傘用収納具は、第２発明又は第３発明において、前記収納具本体は小径側端の内側に凸部を有することを特徴とする。
【００１９】
第４発明にあっては、小径側端の内側に設けられた凸部に傘の張り布が接触することにより収納具本体の小径側の撓み量をさらに多くすることができ、この小径側の弾性復元力をさらに増加することができるため、閉じられたときの太さが比較的小さくなる傘であってもスムーズに収納することができるとともに、この収納状態を維持することができる。
【００２０】
第５発明に係る傘用収納具は、第１乃至第４発明において、前記収納具本体は前記円錐台形部の小径側に連なる円筒部を有することを特徴とする。
【００２１】
第５発明にあっては、円筒部によって傘の張り布との接触面積を増加することができるため、手押し車等の移動する製品に取着された場合においても収納された傘の安定性を高めることができ、傘のふらつき及び脱落をなくすることができる。
【発明の効果】
【００２２】
第１発明によれば、傘の紐バンドを操作することなく張り布が閉じられた状態で筒形の収納具本体にスムーズに収納することができ、しかも、傘のふらつき及び脱落をなくすることができる。
【００２３】
第２発明によれば、閉じた時の太さが異なる傘であってもスムーズに収納することができるとともに、傘のふらつき及び脱落をなくすることができる。
【００２４】
第３発明によれば、小径側への挿入性を確保しつつ小径側での締め付け力を増加することができ、閉じた時の太さが異なる傘であってもスムーズに収納することができるとともに、この収納状態を維持することができる。
【００２５】
第４発明によれば、小径側の弾性復元力をさらに増加することができるため、閉じられたときの太さが比較的小さくなる傘であっても収納状態を維持することができる。
【００２６】
第５発明によれば、手押し車等の移動する製品に取着された場合においても収納された傘の安定性を高めることができ、傘のふらつき及び脱落をなくすることができる。
【発明を実施するための最良の形態】
【００２７】
以下本発明をその実施の形態を示す図面に基づき具体的に説明する。
図１は本発明に係る傘用収納具の構成を示す斜視図、図２は収納具本体を切断した正面図、図３は収納具本体を切断した平面図、図４は取着体を省略した側面図、図５は取着体部分の横断平面図である。
【００２８】
この傘用収納具Ａは、上端に張り布が固定され、下端に略Ｊ字形又は略Ｉ字形のハンドルを有する軸柄の途中に前記張り布を開閉操作する操作環が摺動可能に挿嵌されている傘を手押し車等に収納するものであり、前記手押し車のパイプからなるフレームを掴持して取着する取着体１と、該取着体１に連結体２を介して連結支持され、傘を収納する筒形の収納具本体３とを備えている。
【００２９】
取着体１は長手方向一端部がヒンジ１１によって開閉可能に連結され、他端部に凹状の掴持凹部１２ａ，１３ａを有する矩形の２つの掴持部材１２，１３と、ヒンジ１１及び掴持凹部１２ａ，１３ａの間に穿設された貫通孔１４，１５と、該貫通孔１４，１５に挿通されたねじ軸１６と、該ねじ軸１６に螺着されたナット体１７と、前記掴持部材１２，１３の間に介在され、該掴持部材１２，１３を離間方向へ付勢するコイルバネ１８とを備えており、ナット体１７及び一方の掴持部材１２の間に連結体２の挾着板部２１を回転自在に介在させた状態で貫通孔１４，１５及び挾着板部２１に穿設された挿通孔２１ａにねじ軸１６を挿通し、該ねじ軸１６のねじ部にナット体１７を螺着することにより、連結体２を取着体１に回転可能に保持するとともに、ヒンジ１１を支点として掴持部材１２，１３を揺動させ、掴持凹部１２ａ，１３ａ間の間隔を調節して手押し車のフレームを掴持することができるように構成されている。尚、前記掴持部材１２，１３の内側にはゴム製の緩衝板１２ｂ，１３ｂが保持されている。
【００３０】
連結体２は挿通孔２１ａ及び該挿通孔２１ａの周りに菊座２１ｂを有する挾着板部２１と、複数の対角を有する８角形の角形板部２２及び角形板部２２の中心部に突設された軸部２３とが一体に成形されており、挿通孔２１ａにねじ軸１６が挿通されている。また、角形板部２２に収納具本体３が角度調整可能に連結されている。尚、挾着板部２１と向き合う掴持部材１２には凹凸の菊座１２ｃが設けられており、菊座１２ｃ，２１ｂによって連結体２の回転位置を確実に維持することができるようにしてある。
【００３１】
収納具本体３は円錐台形部３１と、該円錐台形部３１の小径側に連なる円筒部３２とを有する筒形であり、円筒部３２の端から円錐台形部３１の途中にかけて３つの長スリット３３が等配されており、さらに長スリット３３間における円筒部３２に該円筒部３２の端から円錐台形部３１の近傍位置にかけて短スリット３４が等配されており、長スリット３３及び短スリット３４によって円筒部３２を拡径する方向へ撓み可能にしてある。
【００３２】
円筒部３２の端縁部内側にはその長さが周方向となる弧状の凸部３５が突設されている。円錐台形部３１の一側には角形板部２２が収納具本体３の円筒部３２側から相対回転を不可能に嵌め込みされる嵌合凹部３６及び軸部２３が挿入される案内溝３７が設けられており、角形板部２２及び嵌合凹部３６によって取着体１に対する収納具本体３の相対的な角度を変更する角度変更手段を構成している。
【００３３】
嵌合凹部３６は、円錐台形部３１から適宜に離隔して突出し、角形板部２２の相対する辺と向き合う一対の回り止め片３６ａ，３６ａと、各回り止め片３６ａ，３６ａの上端に連続するストッパ片３６ｂと、回り止め片３６ａ，３６ａ及びストッパ片３６ｂの縁部に連続し、下端縁からストッパ片３６ｂの近くへかけて延びる案内溝３７を有する引掛片３６ｃとによって形成されている。
【００３４】
角形板部２２は、向き合う二つの辺間の寸法を前記嵌合凹部３６の幅寸法（回り止め片３６ａ，３６ａの間の寸法）に対応する寸法とし、角形板部２２を嵌合凹部３６に挿入したとき、角形板部２２の回転を回り止め片３６ａ，３６ａが防止し、取着体１に対する収納具本体３の姿勢を保つことができるようにしてある。軸部２３は嵌合凹部３６の案内溝３７に沿って移動させることができる程度の太さに形成されており、この軸部２３が案内溝３７に沿って移動したとき角形板部２２の一辺が前記ストッパ片３６ｂに当接し、収納具本体３を連結支持することができるようにしてある。尚、角形板部２２は、８角形である他、４角形、６角形、１０角形等の整数角であればよい。
【００３５】
図６は傘用収納具を手押し車に取着して使用する状態を示す説明図である。
以上のように構成された傘用収納具Ａは、手押し車Ｂのパイプからなるフレームに取着される。この取着は、取着体１のナット体１７を弛緩させ、掴持部材１２，１３の掴持凹部１２ａ，１３ａ側を離間させた状態で掴持凹部１２ａ，１３ａを前記フレームに嵌合し、ナット体１７を緊締することにより取着体１をフレームに固定することができる。そして、取着体１に挾着されている連結体２の角形板部２２に収納具本体３の嵌合凹部３６を外嵌することにより、収納具本体３を取外し可能及び角度変更可能に取着することができ、この収納具本体３に張り布Ｂ１を閉じた傘Ｃが挿入され、収納される。
【００３６】
収納具本体３はテーパ部３１によって上側を円錐台形部３１としてあるため、閉じられた傘Ｃを収納具本体３に容易に挿入することができる。この収納具本体３に挿入された傘Ｃの張り布Ｃ１により円筒部３２が長スリット３３及び短スリット３４によって拡径する方向へ撓むことになり、円筒部３２に弾性復元力が発生する。この円筒部３２の弾性復元力によって傘Ｃの張り布Ｃ１部分を全周囲から締め付けることができる。また、長スリット３３によって円筒部３２を円錐台形部３１の途中から撓ませ、短スリット３４によって円筒部３２だけを撓ませることができる。また、収納具本体３に挿入された傘Ｃは円筒部３２の凸部３５に接触し、凸部３５との接触抵抗により円筒部３２が拡径する方向へ更に撓むことになり、この撓みによる弾性復元力が傘Ｃの張り布Ｃ１に加わることになる。
【００３７】
尚、以上説明した実施の形態では長スリット３３と、短スリット３４とを有する構成としたが、その他、長スリット３３及び短スリット３４の一方だけを有する構成としてもよいし、また、長スリット３３、短スリット３４の１つだけとしてもよいし、また、長スリット３３及び短スリット３４の夫々を１つとしてもよい。また、円筒部３２の端から円錐台形部３１の端にかけてスリットを設けてもよい。
【００３８】
また、本発明に係る傘用収納具Ａは、主として乳母車等の手押し車Ｂに傘Ｃを収納する場合に使用されるが、その他、自転車等に傘Ｃを収納する場合に使用してもよいのであり、その使用形態は特に制限されない。
【図面の簡単な説明】
【００３９】
【図１】本発明に係る傘用収納具の構成を示す斜視図である。
【図２】収納具本体を切断した正面図である。
【図３】収納具本体を切断した平面図である。
【図４】取着体を省略した側面図である。
【図５】取着体部分の横断平面図である。
【図６】傘用収納具を手押し車に取着して使用する状態を示す説明図である。
【符号の説明】
【００４０】
１    取着体
３    収納具本体
３１  円錐台形部
３２  円筒部
３３  長スリット（スリット）
３４  短スリット（スリット）
３５  凸部
【図１】
2005137764.tif 000003
【図２】
2005137764.tif 000004
【図３】
2005137764.tif 000005
【図４】
2005137764.tif 000006
【図５】
2005137764.tif 000007
【図６】
2005137764.tif 000008